(57)【特許請求の範囲】
【請求項１】
開口部を有し固定形状の容器と、
該固定形状の容器の内部空間に充填される有機溶剤、液体高分子材料、高分子材料の溶液のいずれかから選択される液体と、
前記開口部を封止する封止材と、
を具備し、
前記液体の分子の回転周波数が、吸収すべき振動および／又はノイズと同等になるように前記液体の双極子モーメントおよび／又は分子量を選択し、
前記容器を振動源あるいは電磁的ノイズ発生源に直接接触させ、１ｋＨｚ以上の高周波の高調波歪を含む高周波広帯域雑音の振動若しくは電磁的ノイズ、又は振動及び電磁的ノイズを吸収することを特徴とする吸収体。
【請求項２】
前記固定形状の容器は、プラスチックダンボールまたはアクリルボードまたは金属で形成されることを特徴とする請求項１に記載の吸収体。
【請求項３】
前記有機溶剤は、ジメチルスルホキシド、アセトン、アセトニトリル、1,3-ジメチル-2-イミダゾリジノン、N,N-ジメチルホルムアミド、N-メチル-2-ピロリドン、ＨＭＰＡ、スルホラン、ジメチルスルホンのいずれかであることを特徴とする請求項１に記載の吸収体。
【請求項４】
前記高分子材料は、ポリエチレングリコール、エチレングリコール、エポキシ樹脂、ポリスチレン、ポリイミド、アクリル樹脂、ポリエステル樹脂のいずれかであることを特徴とする請求項１に記載の吸収体。
【発明の詳細な説明】
【技術分野】
【０００１】
本発明は、吸収体およびその使用方法に係り、特にオーディオ機器や電子機器などの振動や電磁ノイズを吸収する吸収体およびその使用方法に関する。
【背景技術】
【０００２】
オーディオ機器は電源トランスなどの振動源を内部に備えていたり、スピーカなどのように振動源を含んでいるため、機器内部に振動エネルギーが発生し、これらの振動が再生音に大きく影響して音質の劣化や音像定位に影響を与えている。また、電源トランスは高調波歪を発生するとともに、電源コードなどを通して外部から高周波域雑音が混入し、通常の電源フィルターではこれらを十分には除去できずに再生音に雑音として影響を及ぼしている。
【０００３】
こうした影響除去の手法として、これまで、円錐形構造のスパイク１段又は多段構造がすでに実用化され、効果を発揮している（例えば特許文献１参照。）。
【０００４】
図２０は、従来の円錐型構造のスパイクを用いた振動防止支持装置の構造を示す断面図である。スパイクはスパイク受け１１１と、スパイク受け１１１に挿入される第１のスパイク１１０と、第１のスパイク１１０に重ねられる第２のスパイク１２０とスパイク受け１１１に入れられる液体１１３とよりなる。
【０００５】
第１のスパイク１１０は上側の円柱部分１１４と下側の円錐部分１１５とで構成され、第２のスパイク１２０は上側の円柱部分１２１と下側の円錐部分１２２とで構成され、円錐部分１２２は第１のスパイク１１０の円柱部分１１４の上面で支持されている。そして、第２の円柱部分１２１の上面に振動を防止するスピーカなどの音響機器が載置される。
【０００６】
このような振動防止支持装置はオーディオ機器などで、内部に発生する振動を機器外部に排除するとともに、外部からの振動を遮蔽するために実用化されている。
【先行技術文献】
【特許文献】
【０００７】
【特許文献１】特許第３８４８９８７号公報
【発明の概要】
【発明が解決しようとする課題】
【０００８】
一般的に、振動の吸収や絶縁を目的としてゴムや振動吸収材（固体）が用いられている。これらはある特定の振動に有効ではあるが、人間の聴覚の周波数範囲をカバーする広い周波数特性を持つものはなく、かつ、素材の特徴が再生音に重畳してしまう問題点がある。
【０００９】
これまでにある多くの技術は、主に、機器とベースの間に異種の素材を挟むことで振動特性を変化させ、音の変化を生じさせている。しかし、積極的に機器の振動を除去するという観点からではなく、振動特性の変更による技術であり、一長一短を持っていた。
【００１０】
また、上記の如く、振動除去の観点から多段スパイク構造技術を採用した振動防止支持装置が提案されている。振動の排除と絶縁の技術により、効果を発揮している。
【００１１】
しかし、上記の振動防止支持装置では、円錐形状内の振動伝播特性と端部での反射の影響により伝播特性に暴れが生じ、結果として白色雑音的ノイズは完全には除去されず、振動伝播特性が十分には改善されない問題点があった。
【００１２】
また、これらは機器の筐体を支持する形で雑音対策を行っており、振動発生源に直接適用しにくいことから、雑音吸収が十分でないという問題点もあった。
【課題を解決するための手段】
【００１３】
本発明は上述した問題点に鑑みてなされたものであり、第１に、開口部を有し固定形状の容器と、該固定形状の容器の内部空間に充填される有機溶剤、液体高分子材料、高分子材料の溶液のいずれかから選択される液体と、前記開口部を封止する封止材と、を具備し、前記液体の分子の回転周波数が、吸収すべき振動および／又はノイズと同等になるように前記液体の双極子モーメントおよび／又は分子量を選択し、前記容器を振動源あるいは電磁的ノイズ発生源に直接接触させ、１ｋＨｚ以上の高周波の高調波歪を含む高周波広帯域雑音の振動若しくは電磁的ノイズ、又は振動及び電磁的ノイズを吸収することにより解決するものである。 
【００１４】
また、前記固定形状の容器は、プラスチックダンボールまたはアクリルボードまたは金属で形成されることを特徴とするものである。
【００１６】
更に、前記有機溶剤は、ジメチルスルホキシド、アセトン、アセトニトリル、1,3-ジメチル-2-イミダゾリジノン、N,N-ジメチルホルムアミド、N-メチル-2-ピロリドン、ＨＭＰＡ、スルホラン、ジメチルスルホンのいずれかであることを特徴とするものである。
【００１７】
更に、前記高分子材料は、ポリエチレングリコール、エチレングリコール、エポキシ樹脂、ポリスチレン、ポリイミド、アクリル樹脂、ポリエステル樹脂のいずれかであることを特徴とするものである。
【発明の効果】
【００２２】
本実施形態によれば、第１に、板状の吸収体が実現できるので、振動や電磁ノイズが問題となる箇所に貼付したり、あるいは筐体として構成機器そのものに用いることができ、効率的に振動吸収や電磁ノイズの吸収が行われ、雑音を低減することができる。
【００２３】
有機溶剤や、高分子材料はその構造あるいは、分子の双極子モーメントの効果により、外部からの機械的な振動による直接的な振動を吸収する効果と、電磁力に起因したモーメントの回転運動によるエネルギー吸収する効果を同時に有する。したがってこれらの液体を、プラスチックダンボールの波型スペーサー板の隙間や、アクリルボードを貼り合わせて二重構造にした容器等の隙間に封入して吸収体とすることにより、振動や電磁ノイズを効率的に吸収することができる。
【００２４】
具体的には、電源に係わる雑音やスピーカなどの振動源に係わる雑音の除去性能に優れ、スピーカやアンプなどの振動発生源に吸収体を貼付したり、あるいは構成機器の筐体の材料に吸収体を用いることにより、再生音の臨場感や演奏家の実在感の阻害を防止できるなど、オーディオ機器の音質を著しく向上させる。
【００２５】
第２に、固定形状の容器を板状に使用することにより、小型オーディオ機器、パソコン、ＤＶＤ、ＢＤ、携帯電話機などに幅広く使用できる。具体的には、小型オーディオ機器や携帯電話機などの振動源に対応する筐体部分に容易に貼付することができ、電気的雑音の効率的な抑制や音の明瞭度を向上させる。
【００２６】
第３に、溶液の特性を調整することにより広い範囲にわたる雑音吸収特性を調整することが可能である。
【００２７】
具体的には、密閉容器に封入する液体の分子量の大小と双極子モーメントの大小の割合で、エネルギーをよく吸収する周波数範囲が変化する。つまり、吸収する対象の周波数を特定し、その周波数を良く吸収するであろう双極子モーメントと分子量（溶液の場合、溶媒の分子量の加味する）の組合せを設定して、有効な材料を選定する。この組合せにより、数十ＨｚからＧＨｚ程度の範囲の周波数を吸収することができる。
【００２８】
第４に、振動および電磁的ノイズの吸収対策において、円錐型構造のスパイクを用いた振動防止支持装置などと比較して省スペース化が図れる。
【図面の簡単な説明】
【００２９】
【図１】本発明の吸収体を説明する（Ａ）斜視図、(Ｂ)断面図、（Ｃ）平面図である。
【図２】本発明の吸収体を説明する斜視図である。
【図３】本発明の第１の実施形態の使用方法を説明するための（Ａ）斜視図、（Ｂ）断面図である。
【図４】本発明の第１の実施形態の使用方法を説明するための（Ａ）断面図、（Ｂ）斜視図、（Ｃ）断面図である。
【図５】本発明の第２の実施形態の使用方法を説明するための概要図である。
【図６】本発明の第３の実施形態の使用方法を説明するための（Ａ）概要図、（Ｂ）概要図である。
【図７】本発明の実施形態の特性を説明するための特性図である。
【図８】本発明の実施形態の特性を説明するための特性図である。
【図９】本発明の実施形態のテスト結果を説明する概要図である。
【図１０】本発明の実施形態のテスト結果を説明するグラフである。
【図１１】本発明の実施形態のテスト結果を説明する概要図である。
【図１２】本発明の実施形態のテスト結果を説明する概要図である。
【図１３】本発明の実施形態のテスト結果を説明する概要図である。
【図１４】本発明の実施形態の特性評価を説明するグラフである。
【図１５】本発明の実施形態の特性評価を説明する特性図である。
【図１６】本発明の実施形態の特性評価を説明する特性図である。
【図１７】本発明の実施形態の特性評価を説明する特性図である。
【図１８】本発明の実施形態の特性評価を説明する特性図である。
【図１９】本発明の実施形態の特性評価を説明する特性図である。
【図２０】従来技術を説明するための断面図である。
【発明を実施するための形態】
【００３０】
図１から図１９を参照して、本発明の実施の形態を説明する。
【００３１】
図１（Ａ）は本発明の吸収体１を示す斜視図であり、図１（Ｂ）は図１（Ａ）のａ−ａ線断面図であり、図１（Ｃ）は開口部を封止した吸収体１を示す平面図である。ここでは、吸収体１の固定形状の容器２がプラスチックダンボール２ａの場合について説明する。尚、図１（Ａ）（Ｃ）の点線は、波型スペーサー２２で仕切られた各内部空間２３の境界を表している。
【００３２】
吸収体１は、固定形状の容器２と、この内部空間に充填される液体３と、開口部を封止する封止材４とからなる。後に詳述するが、本実施形態の吸収体１は、音響機器や、電子機器などが有する振動源の振動やそれに伴う雑音、および電磁ノイズを吸収するものである。
【００３３】
固定形状の容器２は、水分を通しにくい性質で、水分をもらさずに封止でき、長期（例えば５年から６年程度）保存が可能な材料からなる。具体的には、例えばポリエチレンまたはポリエチレンテレフタラート（Polyethylene terephthalate：ＰＥＴ）など高分子材料製プラスチックダンボール２ａである。
【００３４】
ここでプラスチックダンボール２ａとは、図１（Ｂ）の如く、プラスチックの表板２０とプラスチックの裏板２１との間にプラスチックの波型スペーサー２２が貼り付けられた構造であり、波型スペーサー２２により仕切られた複数の内部空間２３を有し、その両端は開口されている。かかる内部空間２３が液体３の容器部分となる。尚、プラスチックダンボールは、目的に応じてその厚さを適宜選択し、また所望の大きさに切り出して用いる。
【００３５】
液体３は、有機溶剤、液体高分子材料、高分子材料の溶液のいずれかから選択され、固定形状の容器２の内部空間２３に充填される。より詳細には、図１（Ａ）の如く、プラスチックダンボール２ａの両端の開口部は充填口であり、一方の開口部２４ａより注射器で液体３を注入し、開口部２４ａ付近に３〜５ｍｍ程度の空間部を残す。この際、他方の開口部２４ｂは開口された状態であるが、液体３に粘性があるために表面張力が働き注入された液体３は外部へ溢れ出すことはない。そして、図１（Ｃ）の如く、開口部２４ａ付近に設けた空間部に封止材４（ホットメルト樹脂などの熱可塑性樹脂を用いる）を充填して封止する。
【００３６】
その後、反対側の開口部２４ｂからも同様に液体３の充填および開口部２４ｂの封止が行われ、プラスチックダンボール２ａは密封状態となる。液体３は内部空間２３にほぼ充填されていれば吸収体１として十分な効果が得られる。
【００３７】
尚、図示は省略するが、注射器で注入する代わりに、水槽に液体３を満たしその中にプラスチックダンボール２ａをつけ、内部空間２３の上部に３〜５ｍｍ程度の空間部を残し、その空間部にホットメルト樹脂４を充填して開口部２４ａを封止し、その後、反対側の開口部２４ｂも同様に封止を行い密封状態とする方法であってもよい。
【００３８】
液体３の一例として、有機溶剤の場合はジメチルスルホキシド（dimethyl  sulfoxide：ＤＭＳＯ）、アセトン、アセトニトリル、1,3-ジメチル-2-イミダゾリジノン（ＤＭＥＵ）、N,N-ジメチルホルムアミド（ＤＭＦ）、N-メチル-2-ピロリドン(ＮＭＰ)、ＨＭＰＡ、スルホラン（ＳＦ）、ジメチルスルホン（ＭＳＭ）、などである。尚、有機溶剤を用いる場合には、プラスチックダンボールや後述のアクリルボードなどの高分子材料から成る固定形状の容器２を溶解するおそれがあるため、金属から成る固定形状の容器２を用いることが好適である。
【００３９】
また、液体高分子材料としては、ポリエチレングリコール（polyethylene  glycol：ＰＥＧ）、エチレングリコール、エポキシ樹脂、ポリスチレン、ポリイミド、アクリル樹脂、ポリエステル樹脂、などの液体が挙げられる。
【００４０】
更に、高分子材料の溶液の場合は、ポリエチレングリコール（polyethylene  glycol：ＰＥＧ）、エチレングリコール（ethylene glycol）、エポキシ樹脂、ポリスチレン、ポリイミド、アクリル樹脂、ポリエステル樹脂、などを水、アルコール、シリコンオイルといった有機溶剤などの溶媒と混合したものが挙げられる。
【００４１】
吸収体１が振動や電磁ノイズを吸収する原理は以下の通りである。
【００４２】
高分子材料は１次元構造、さらに複雑な２次元構造、３次元構造と各種構造で重合した物質であり、共有結合力で、これらの構造を維持する性質を持っている。そのため、振動などの外力により変形させられたとき元に戻る復元力を発生し、質量による慣性力とあいまって外力と同じ周波数の振動を発生する。この振動による内部摩擦により振動エネルギーが吸収される。
【００４３】
また、高分子材料には、双極子モーメントの効果が大きいものがあり、周囲電界の変動により分子に回転力が生じ、周囲の分子との摩擦により、変動電界のエネルギーを吸収する効果を持つ。この効果により、回路や回路基板における変動電界による影響除去・抑制が見込まれる。
【００４４】
例えば、分子量１００万のポリエチレングリコール（ＰＥＧ）では、炭素Ｃと水素Ｈ２および酸素Ｏの単位（−ＣＨ２−ＣＨ２−Ｏ−）が７万個以上も直列に共有結合して鎖状の構造をしており、ＣとＣの結合は約１１０度の角度で結合し同様に１１０度の角度で結合するＯをはさんで最大で長さ約１．５ｍｍ程度にまでおよぶ非常に細長い紐状になっていると考えられる。この紐は、これらの共有結合の角度を保とうとする硬い性質を持っている。
【００４５】
一方で、各結合は結合の軸を中心に回転しうる柔軟な構造となっている。水溶液とした場合、この紐は部分的に他の紐と絡まりあって内部に水の分子を取り込んでいる。このためこれらの紐が相互にまたは間に水などの分子を付着させて取り込む形で複雑に絡み合うことにより、部分的に拘束されて弾性力のある紐となっており、バネを形成していると考えられる。
【００４６】
一方、分子量が大きくさらに水などの分子が付着することで１本の紐の質量は大きくなって、バネと各分子の質量の相互関係により振動系を形成している。したがって、外力によって液内部に振動を生じ外部振動の周波数が固有振動数と一致する場合、共振により大きく振動して、紐と紐の間および紐の周りに付着している水などの溶液の分子との間の摩擦により振動エネルギーが吸収される、一種のバネーダンパーマス系を構成して振動吸収効果を大きくしている。
【００４７】
以上は、振動エネルギーの機械的メカニズムによる吸収機構であるが、一方で、双極子モーメントに起因した電磁力に基づくエネルギー吸収機構が考えられる。すなわち、周囲磁界の変動により、回転可能な双極子モーメントにより高周波域において仮想的に微弱ではあるが導電性を持つと見なせる高分子材料溶液に、磁界変動を妨げようとする電界（渦電流の要因）が発生し、この変動電界によって分子（双極子モーメント）に回転力が生じ、回転のための駆動力および周囲の分子との摩擦により、変動電界のエネルギーを吸収する効果を持つ。この効果により、電源コードや電源トランスにおける雑音除去・抑制が見込まれる。
【００４８】
同様に、周囲の振動が溶液に伝わることにより、双極子モーメントが振動方向に変位する。この変位自体はミクロンオーダーの変位であっても、モーメントにとっては大きな変位である。この振動運動と外部磁界（地磁気など）との相互作用により分子（双極子モーメント）に回転力が生じ、回転のための駆動力および周囲の分子との摩擦により、振動のエネルギーを吸収する効果を持つ。この効果により、スピーカマグネットやアナログプレーヤなどに生じる振動吸収が生じ、振動に起因した雑音の除去・抑制が見込まれる。
【００４９】
例えば、分子量１００万のＰＥＧでは、炭素２個、水素４個、酸素１個からなる単位（ＣＨ２Ｏ）が２万個以上も直列に共有結合して鎖状の構造をしており、ＣとＣおよびＯの結合は約１１０度の角度で結合して長さ約１．５ｍｍ程度の細長い紐状になっていると考えられる。
【００５０】
一方で、ＣとＯの間の結合は結合の腕方向に伸びているが、各結合は回転可能であり、結合の角度を保ったまま固まりになる場合もあり、長く伸びる場合もある。また、螺旋状に分子が並んだ場合は短くまとまった形状にもなりうる。また、分子を構成するＨやＯは親水性が良く、ＰＥＧの水溶液では、水の分子がＰＥＧ分子の周りに絡みつきやすく、長く伸びた構造になっていると考えられる。これは、ＰＥＧの水溶液に回転における弾性（ねじり戻し）が生じている原因と考える。
【００５１】
このため，振動と外部磁界や変動磁界などによって生じる回転トルクは、分子の回転において分子の重量のみでなく周囲の水の分子まで伴って回転させることとなり、外部のエネルギーを大きく消費するとともに、共振周波数を低くし、音声領域での効果を生じていると考えられる。
【００５２】
たとえば、ＰＥＧの双極子モーメントを考える。エチレングリコール（ethylene  glycol：ＥＧ）の双極子モーメントは約２Ｄ（デバイ）であるのに対し、ＥＧが１０個重合したＰＥＧでは両端の距離が約２倍に対し双極子モーメントは約１０Ｄとなり５倍に達している。つまり、重合により双極子モーメントが増加し、変動磁界に対するトルクや分子の運動と地磁気の相互作用に起因するトルクが増加し分子の回転運動が誘発されやすい状況になっていくことが示される。
【００５３】
水の双極子モーメントは１．８５Ｄで、分子量が１８であり，外部から受けるトルクは小さいがそれ以上に慣性モーメントが小さく、回転の周波数は非常に高くＧＨｚ程度になる。
【００５４】
一方、ＰＥＧでは双極子モーメントの大きさが大きく駆動トルクも大きくなるが、分子の質量や大きさの増加と付着する水の分子による質量増加により慣性モーメントが著しく増加するため、分子の回転周波数はＫＨｚ程度まで低下し、可聴域での効果が期待される。
【００５５】
このように、本実施形態の吸収体１の振動吸収能力は上記の解析とともに、双極子モーメントの運動と地磁気または外部磁界の相互作用によるモーメントに起因する分子の回転運動と粘性による運動エネルギーの減衰が効果を高めていると考える。
【００５６】
以下は、この点についての理論的考察である。
【００５７】
ＰＥＧ分子が外部振動により変位ｄ［ｍ］の調和振動をすると仮定する。外部磁界は地磁気で磁束密度Ｂ［Ｗｂ／ｍ２］、分子内の分極による分極モーメントの強さをＭ［Ｄ（デバイ）］、相当電荷量をｑ［Ｃ］、分子を長さｌ［ｍ］、半径ｒ［ｍ］の円筒で質量ｍ［ｋｇ］と仮定すると、慣性モーメントＪ［ｋｇｍ２］は以下の（１）式で表される。
【００５８】
【数１】
0005644003.tif 000002
相当電荷量ｑは、Ｍ＝ｑｌＤを用いて単位Ｃにより表現するなら以下の（２）式で表される。
【００５９】
【数２】
0005644003.tif 000003
また、外部磁界Ｂの中において角周波数ωで分子が強制振動されるとき、分子に生じる回転トルクτ［Ｎｍ］は磁界と双極子モーメントがなす角度をφとして以下の（３）式の通りである。
【００６０】
【数３】
0005644003.tif 000004
ここで、磁界と双極子モーメントがなす角度φはトルクを受けて回転する間に磁界と直行するようになるため、π／２とおくことができる。分子の回転に外力が最も多く費やされる状況として、トルクτを受けて分子が半回転したとき逆方向のトルクにより反転する状況を仮定する。今、単純に粘性による減衰を無視して分子を回転させるためにのみ外力が用いられるとするなら、トルクによる回転の角度をθとして、運動方程式は以下の（４）式で表される。
【００６１】
【数４】
0005644003.tif 000005
回転運動の周期と加振力の周期が一致するとして、これを時間ｔの積分範囲０〜π／ωの範囲で２回積分して、（５）式を得る。
【００６２】
【数５】
0005644003.tif 000006
そして、θ＝πとおくことにより（６）式を得る。
【００６３】
【数６】
0005644003.tif 000007
さらに、（３）式で振動速度の振幅ｖ＝ωｄを考慮すると（７）式により最大のエネルギー損失を与える周波数を推定することが出来る。
【００６４】
【数７】
0005644003.tif 000008
これに基づき、分極モーメントの強さＭ＝１０Ｄ、分子の長さｌ＝３０μｍ、分子の近似半径ｒ＝０．３ｎｍ、振動振幅ｄ＝１０μｍ、分子の質量ｍ＝１．１７×１０−２２ｋｇ、外部磁束密度（地磁気）Ｂ＝０．００００４５Ｗｂ／ｍ２、を仮定してωを求めた場合、約２．９ｋＨｚとなる。この値はモーメントが最大１８０度回転する場合であり、この周波数より高い周波数でエネルギー吸収の効果が生じる。さらに、粘性による吸収は、回転速度に比例するため高い周波数領域でより効果的にエネルギー吸収が生じる。ただし、水溶液の場合ＰＥＧが親水性であることを考慮すると、分子の周囲にクラスタ化した水の分子が付着し、見かけ上の質量を増加し、上記の最低周波数はさらに低い領域に移行すると考えられる。
【００６５】
また、振動振幅を１０μｍとしたが、１００μｍ程度の振幅も生じうるであろうし、分子量によっては分子の長さも、最も長く伸びた場合数ｍｍにも及びうる。これらの幅を考慮するなら、ＰＥＧ溶液の外部振動エネルギー吸収能力の周波数幅はかなり広範囲にわたるものと考えられる。これに、溶液の粘性や弾性を考慮すると、分子量に特有の共振特性が生じるものと考えられる。これらの周波数は十分可聴域に入る周波数であることが推測される。
【００６６】
電磁ノイズ吸収では、電流の変化に起因した磁場の変動を抑制するよう電界が生じ、その電界により溶液内の双極子モーメントにトルクが発生し回転運動となる。この往復回転運動や分子の回転と溶液の粘性により運動エネルギーが吸収され、電源コードなどに流れる交流電流の負荷となってコードにおいて減衰させられ、機器に到達するノイズの量が低減し抑制される。効果が期待されるノイズ成分は非常に高い周波数成分であり、溶液中の高分子の分子量や双極子モーメントの大きさにより、吸収効果を期待する周波数範囲が設定可能となる。
【００６７】
電線内を流れる変動電流Ｊ［Ａ］により周囲に変動磁界Ｂ［Ｗｂ／ｍ２］が生じる。このとき、Ｂの変動を抑制するようＢの時間微分に応じて電界強度Ｅ［Ｖ／ｍ］の変化が電線の周囲に発生し、これによりＰＥＧ溶液の分極モーメントが外部トルクτ［Ｎｍ］を受け回転し、電流Ｊに仕事をさせることとなる。これにより、変動電流が抑制され、伝達されにくくなる。前述から、トルクの大きさにもよるが、可聴周波数域での雑音電流（商用周波数以外の電流成分）、特に、高周波数域での雑音電流抑制に効果が期待できる。
【００６８】
尚、液体３が有機溶剤の場合も、動作原理は上記と同様である。有機溶剤は、分子量が小さいので、高い周波数において有効と考えるが、分極の強さ、つまり双極子モーメントの大きさにより対応可能な周波数領域は変化する。また、粘性の大きさは材料やその濃度によって変化する。
【００６９】
このため、十分な振動および電磁的ノイズの吸収特性を得るためには、液体の分子量と双極子モーメントを適宜選択する。
【００７０】
具体的に説明すると、本実施形態の吸収体１の液体３は、分子量と双極子モーメントによる分子の回転周波数を例えば１００Ｈｚから５００００Ｈｚの範囲となるように、調整する。
【００７１】
つまり、電子レンジでは水のエネルギー吸収が最も高い周波数である２．５ＧＨｚ程度に設定されているが、この逆の計算を行って対象とする周波数範囲を決めた後、その周波数を良く吸収するであろう双極子モーメントと分子量（溶液の場合、溶媒の分子量の加味する）の組合せを設定して、有効な材料を選定する。
【００７２】
分子量が１００万の液体３場合、分子の回転周波数は１５０Ｈｚ程度である。したがって、分子の回転周波数が上記の範囲（１００Ｈｚから５００００Ｈｚ）となる場合を算出すると、双極子モーメントは２Ｄ〜５００Ｄとなる。また実験的には、分子量で１００００〜２００００００程度のＰＥＧ水溶液の場合に、分子の回転周波数が、上記の範囲となる。
【００７３】
このように、液体３の双極子モーメントと分子量の組合せを適宜選択することにより、数十ＨｚからＧＨｚまでの範囲の周波数を吸収することができる。
【００７４】
双極子モーメントが大きいと回転トルクが大きく、エネルギー吸収が高周波数に移行する。したがって、どのような周波数を対象にするかと分子量との兼ね合いで適切な双極子モーメントの範囲が決定される。本実施形態の吸収体１に用いる範囲の一例としては、１．５Ｄ〜５００Ｄ程度である。
【００７５】
また、分子量が大きいと大きな回転トルクが必要となり、エネルギー吸収が低周波数に移行する。したがって、どのような周波数を対象にするかと双極子モーメントとの兼ね合いで適切な分子量の範囲が決定される。本実施形態の吸収体１に用いる範囲の一例としては、水のみで１８、ＰＥＧなどで２００から５００万程度である。
【００７６】
尚、これらは一例であり、水の分子がＰＥＧの分子にどの程度絡みついているかによって変わるものであり、双極子モーメントと、分子量の相互の値の関係で対応周波数が変化する。したがって、吸収したい周波数に応じて、液体の分子量と双極子モーメントを適宜選択する。
【００７７】
図２を参照して、本発明の吸収体１の固定形状の容器２がアクリルボードで形成された場合について説明する。
【００７８】
固定形状の容器２は、一定の厚さを有する複数枚のアクリルボードを貼り合わせて二重構造とし、その内部空間２３に液体３が充填（封入）される。より詳細には、図２の如く、上面アクリルボード２５と底面アクリルボード２６とを対向させ、両者を側面アクリルボード２７ａ、２７ｂ、２７ｃ、２７ｄを用いて貼り合わせて内部空間２３を形成する構造である。これらのアクリルボードの貼り合わせには、アクリル用接着剤などを用いる。
【００７９】
尚、このように形成された固定形状の容器２を以下、アクリル容器２ｂと称する。
【００８０】
液体３は、アクリル容器２ｂの一面、例えば上面アクリルボード２５を貼り合わせる前に内部空間２３に充填され、その後上面アクリルボード２５を貼り合わせて密封状態にされる。あるいは、アクリル容器２ｂを形成した後に一部に充填口（図示せず）を設け、注射器などを用いて内部空間２３に液体３を充填した後に充填口を封止材４（ホットメルト樹脂などの熱可塑性樹脂を用いる）で封止する方法であってもよい。尚、液体３については図１のものと同様であるので、ここでは詳細な説明は省略する。
【００８１】
上述の如く、図１および図２を用いてプラスチックダンボールあるいはアクリルボードにより固定形状の容器２を形成する場合を説明したが、高分子材料に限らず、銅、真鍮、アルミニウムなどの金属により固定形状の容器２を形成しても良い。
【００８２】
図３から図４は、第１の実施形態として吸収体１をスピーカエンクロージャの材料に使用した場合の一例を示す図である。
【００８３】
図３を参照して、スピーカエンクロージャ１１の材料にプラスチックダンボール２ａの吸収体１ａを使用する場合を説明する。図３（Ａ）がプラスチックダンボールの吸収体１ａを使用したスピーカエンクロージャ１１の斜視図であり、図３（Ｂ）が図３（Ａ）のｂ−ｂ線断面図である。
【００８４】
プラスチックダンボールの吸収体１ａは、図１に示す如く、プラスチックダンボール２ａをスピーカエンクロージャ１１の各板のサイズに切り出した後に液体３を充填して形成される。
【００８５】
具体的には、正面および背面の板のサイズは幅ｗ１が２２０ｍｍ、高さｈ１が３２０ｍｍ、厚さｄ１が５ｍｍであり、上面および底面の板のサイズは幅ｗ２が２１０ｍｍ、高さｈ２が５０ｍｍ、厚さｄ２が５ｍｍであり、左右側面の板のサイズは幅ｗ３が５０ｍｍ、高さｈ３が３２０ｍｍ、厚さｄ３が５ｍｍである。正面に配置されるプラスチックダンボールの吸収体１aにはスピーカの取り付け穴を、背面に配置されるプラスチックダンボールの吸収体１ａには端子取り付け穴を予め開けておき、各取り付け穴の周端部は封止材４で封止される。
【００８６】
かかるプラスチックダンボールの吸収体１ａを用いてスピーカエンクロージャ１１を組み立てる。尚、図示は省略するが、必要に応じてスピーカエンクロージャ１１の内部にプラスチックダンボール２ａなどで補強を行うことにより、筐体としての強度を高めることができる。
【００８７】
その後、スピーカエンクロージャ１１にスピーカ１２および端子（図示せず）が取り付けられるので、スピーカおよび端子は固定形状の容器２と直接接触する。
【００８８】
尚、プラスチックダンボールの吸収体１ａは、振動源や電磁ノイズ発生源など（以下、ノイズ源と総称する）であるスピーカおよび端子の全面を被覆しなくてもよく、一部が直接接触していればよい。プラスチックダンボールの吸収体１ａとノイズ源の接触面積が大きい方が、吸収能力は高くなる。
【００８９】
スピーカエンクロージャ１１にプラスチックダンボールの吸収体１ａを使用した場合、スピーカユニットに生じた振動はプラスチックダンボールの吸収体１ａの溶液３を振動させ、地磁気やスピーカのマグネットによる磁気の中を振動することによりトルクを受け、分子の回転により運動エネルギーが吸収され、振動が抑制される。
【００９０】
固定形状の容器２の大きさおよび形状を適宜選択することで、狭小な部分でも広範な部分でも、ノイズ源の種々の大きさ及び形状に合わせて適用できる。
【００９１】
また、図示は省略するが、プラスチックダンボールの吸収体１ａの上にノイズ源を載置したり、逆に、ノイズ源の上にプラスチックダンボールの吸収体１ａを載置して使用することもできる。
【００９２】
既述の如く、プラスチックダンボールの吸収体１ａの溶液３は、ノイズ源となるスピーカ１２や端子の周波数に応じて、その振動や雑音が吸収できるように、特性（分子量、双極子モーメント）が適宜選択される。
【００９３】
図４を参照して、スピーカエンクロージャ１１の材料にアクリルボードで二重構造に形成した吸収体１ｂ（以下、アクリル容器の吸収体と総称する）を使用する場合を説明する。図４（Ａ）がアクリル容器の吸収体１ｂを説明する断面図であり、図４（Ｂ）がアクリル容器の吸収体１ｂを使用したスピーカエンクロージャ１１の斜視図であり、図４（Ｃ）が図４（Ｂ）のｃ−ｃ線断面図である。
【００９４】
アクリル容器２ｂの吸収体１ｂは、図４（Ａ）の如く、所望の大きさに切り出した６枚のアクリルボードを貼り合わせた固定形状の容器２（アクリル容器２ｂ）の内部空間２３に液体３を充填したものである。具体的には、上面アクリルボード２５は５ｍｍ厚のものを用い、底面アクリルボード２６は４ｍｍ厚のものを用い、側面アクリルボード２７ｂ、２７ｄと図示されない側面アクリルボード２７ａ、２７ｃは５ｍｍ角のものを用いて、一組のアクリル容器２ｂを形成する。尚、上面アクリルボード２５と底面アクリルボード２６とを貼り合わせる際に、上面アクリルボード２５の周端より５ｍｍ程内側に側面アクリルボード２７ａ、２７ｂ、２７ｃ、２７ｄを配置することで、他のアクリル容器の吸収体１ｂと貼り合わせる際の接合部２８を形成することができる。
【００９５】
かかる６組のアクリル容器の吸収体１ｂを用いてスピーカエンクロージャ１１を構成する。図４（Ｃ）の如く、隣り合うアクリル容器の吸収体１ｂの接合部２８がアクリル用接着剤で接合される。
【００９６】
具体的には、正面および背面に配置されるアクリル容器の吸収体１ｂは、上面アクリルボード２５のサイズが１３８ｍｍ×２０８ｍｍ×５ｍｍ（幅ｗ×高さｈ×厚さｄの順に記載する、以下同じ）、底面アクリルボード２６のサイズが１２８ｍｍ×１９８ｍｍ×４ｍｍ、側面アクリルボード２７ａ、２７ｂ、２７ｃ、２７ｄのサイズは１９８ｍｍあるいは１１８ｍｍの長さを有する５ｍｍ角の角材である。また、上面および底面に配置されるアクリル容器の吸収体１ｂは、上面アクリルボード２５のサイズが１２８ｍｍ×１６８ｍｍ×５ｍｍ、底面アクリルボード２６のサイズが１１８ｍｍ×１５８ｍｍ×４ｍｍ、側面アクリルボード２７ａ、２７ｂ、２７ｃ、２７ｄのサイズは１５８ｍｍあるいは１０８ｍｍの長さを有する５ｍｍ角の角材である。更に、左右側面に配置されるアクリル容器の吸収体１ｂは、上面アクリルボード２５のサイズが１６８ｍｍ×２０８ｍｍ×５ｍｍ、底面アクリルボード２６のサイズが１５８ｍｍ×１９８ｍｍ×４ｍｍ、側面アクリルボード２７ａ、２７ｂ、２７ｃ、２７ｄのサイズは１９８ｍｍあるいは１４８ｍｍの長さを有する５ｍｍ角の角材である。
【００９７】
尚、プラスチックダンボールの吸収体１ａで構成されるスピーカエンクロージャ１１と同様に、正面側および背面側のアクリル容器の吸収体１ｂにはスピーカ１２および端子（図示せず）の取り付け穴が予め開けられる。例えば、図４（Ｂ）（Ｃ）の如く、スピーカの取り付け穴１３ａは、正面側のアクリル容器の吸収体１ｂの上面アクリルボード２５と底面アクリルボード２６に開けられる。そして、スピーカの取り付け穴１３ａの直径よりも1辺が長い厚さが５ｍｍの正方形の板（以下、スピーカ取り付け用の板１３と総称する）にスピーカの取り付け穴１３ａを開けたものを準備し、それを上面アクリルボード２５と底面アクリルボード２６の間に挟む形でスピーカ取り付け穴１３ａ部分を封止するように接着剤で固定する。
【００９８】
具体的には、スピーカ取り付け用の板１３のサイズは、９４ｍｍ×９４ｍｍ×５ｍｍであり、その中央に直径７０ｍｍのスピーカの取り付け穴１３ａを開口する。また、正面側のアクリル容器の吸収体１ｂの上面アクリルボード２５及び底面アクリルボード２６には直径７０ｍｍの円状の穴が開口される。そして、これらのスピーカの取り付け穴１３ａの位置を合わせて接着剤で貼り合わせる。
【００９９】
尚、スピーカ取り付け用の板１３もアクリル材を用いるのが望ましい。
【０１００】
その後、スピーカ１２および端子が取り付けられるので、スピーカ１２および端子はアクリル容器の吸収体１ｂと直接接触する。
【０１０１】
図５を参照して、第２の実施形態について説明する。第２の実施形態は、図１に示すプラスチックダンボールの吸収体１ａをノート型パーソナルコンピュータ（以下「ノート型ＰＣ」という。）などの電子機器３０に利用するものである。図５はプラスチックダンボールの吸収体１ａの使用例を示す図である。
【０１０２】
図５の如く、プラスチックダンボールの吸収体１ａは、キーボードを覆う大きさに切り出されたプラスチックダンボール２ａに液体３を充填し、封止したものである。ボード状のプラスチックダンボールの吸収体１ａは、ノート型ＰＣ３０のキーボード３０ａ上に載置して使用する。尚、図示は省略するが、プラスチックダンボールの吸収体１ａ上にノート型ＰＣ３０を載置して使用してもよく、この場合にはプラスチックダンボールの吸収体１ａがノート型ＰＣ３０の裏面と接触するので、プラスチックダンボールの吸収体１ａがノート型ＰＣ３０の吸排気口を塞がないよう、これを除いた領域でプラスチックダンボールの吸収体１ａ上に袋状の容器に液体３を封入した吸収体１を配置する。
【０１０３】
このように、プラスチックダンボールの吸収体１ａをノート型ＰＣ３０に用いた場合、ノート型ＰＣ３０内の電源部やハードディスクに生じる振動や電磁ノイズを吸収することができる。
【０１０４】
尚、図示は省略するが第２の実施形態において、ノート型ＰＣ３０に変えてデスクトップ型パーソナルコンピュータ（以下「デスクトップ型ＰＣ」という。）に適用してもよい。この場合には、所望の大きさのプラスチックダンボールの吸収体１ａをデスクトップ型ＰＣの電源やハードディスクユニットに貼り付けて使用する。
【０１０５】
図６を参照して、第３の実施形態について説明する。第３の実施形態は、図１に示すプラスチックダンボールの吸収体１ａを小型電子機器４０に利用するものである。図６（Ａ）はプラスチックダンボールの吸収体１ａを携帯電話機４０ａに貼り付けた使用例を示す図であり、図６（Ｂ）はプラスチックダンボールの吸収体１ａを小型ディジタル音響機器４０ｂに貼り付けた使用例を示す図である。
【０１０６】
携帯電話機４０ａや小型ディジタル音響機器４０ｂなどの小型電子機器４０は駆動部分がないため雑音混入が少なく高品質であるが、ディジタル信号のパルス状の電圧・電流変化が広帯域雑音を引き起こしてアース電位を揺らがせ、ヘッドホンなどを駆動するアナログ回路に影響し、音楽鑑賞時に高周波広帯域雑音が残留し、音の解像度を低下させている。
【０１０７】
図６（Ａ）（Ｂ）の如く、小型で、かつ薄型のプラスチックダンボール２ａの隙間に液体３を封入して封止したシート状のプラスチックダンボールの吸収体１ａを小型電子機器４０の筐体に貼り付けて用いることにより、高周波広帯域雑音の抑制や明瞭度の向上等の成果を得ることができる。具体的には、プラスチックダンボールの吸収体１ａを携帯電話機４０ａのスピーカ付近の筐体、あるいは小型ディジタル音響機器４０ｂの筐体の背面側全体に貼り付けて使用する。
【０１０８】
このように、プラスチックダンボールの吸収体１ａを小型電子機器４０に用いた場合、小型電子機器４０内のディジタル信号の変化により生じる高周波広帯域雑音を吸収することができる。
【０１０９】
図７から図１０を参照して、本実施形態の吸収体１に対する特性の測定と吸収体１の有無による試聴の比較結果を説明する。
【０１１０】
まず、図７及び図８を参照して、吸収体１をスピーカシステムへ適用した場合の特性について説明する。ＦＯＳＴＥＸ社のフルレンジユニット（ＦＥ８７Ｅ）を用いたスピーカシステムのエンクロージャについて、吸収体１を適用した場合と適用しない場合について音質音像表現の改善について比較した。
【０１１１】
図７が正弦波信号をスピーカに入力した時のスピーカユニット中心部の振動周波数特性を測定し、信号成分に対する高周波歪成分の減衰量を比較した結果を示しており、図には１ｋＨｚの正弦波信号における特性の測定結果を示す。横軸が高調波の次数であり、縦軸が基本波とのレベル差[ｄＢ]である。また、斜線の棒グラフが吸収体１を適用した場合、すなわち図３の如くスピーカエンクロージャ１１の材料として通常木材を用いる代わりにプラスチックダンボールの吸収体１ａを用いてスピーカシステムを構成した場合であり、無地の棒グラフが吸収体１を適用しない場合、すなわちスピーカエンクロージャ１１の材料として通常の木材を適用した場合である。
【０１１２】
周波数は、［信号の周波数］×［次数］で算出される。本来、高周波歪は不用な雑音成分であり、その減衰量が大きいほど性能が向上しているといえる。
【０１１３】
図に示されるように、全ての高調波次数において、高周波歪の低減量は吸収体１を不適用の場合（無地の棒グラフ）よりも吸収体１を適用した場合（斜線の棒グラフ）のほうが大きく、吸収体１の効果が十分に現れていることが分る。
【０１１４】
図８は、同様に、スピーカ放射音に対して高調波歪の低減量を比較した結果を示しており、図には１ｋＨｚのスピーカ放射音における特性の測定結果を示す。尚、横軸、縦軸、斜線あるいは無地の棒グラフは図７と同様である。
【０１１５】
図の如く、１ｋＨｚの放射音では、吸収体１を用いた場合には８ｋＨｚあたりの歪低減量が大きく、後述の小型オーディオ音響機器４０の周波数特性の測定結果（図１９を参照。）と同様の傾向を得ている。この歪の低減が雑音感の低減、特に、高周波数域での高域雑音の低減に繋がっていると考えられる。
【０１１６】
特に、質的には細かな音の表現力が増加し、吸収体１を用いることにより音の違いが表現できるようになり、演奏者、楽器の実在感、会場の臨場感などの表現力が非常に向上していると判断できる。
【０１１７】
一方、試聴によっても効果の確認を行った。試聴環境として、アンプおよびＣＤプレーヤ（ＤＥＮＮＯＮ社製ＲＣＤ−Ｍ３７）、スピーカ（ＫＲＹＮＡ社製  Ｋ１０２）、スピーカスタンド（ＫＲＹＮＡ社製  ＫＲＹＮＡ  ＰＲＯ  ＭＧＴ−６０ＲＳ）、スピーカケーブル（ＫＲＹＮＡ  Ｓｐｃａ７）、電源ケーブル（ＤＥＮＮＯＮ社製ＲＣＤ−Ｍ３７  標準ケーブル）を用いて音楽ＣＤ（Ｃｏｍｐａｃｔ  Ｄｉｓｃ）を再生し、スピーカシステムのスピーカエンクロージャの材料として吸収体１の使用の有無で比較した。
【０１１８】
比較対象は以下の通りである。
【０１１９】
対象１：スピーカエンクロージャ１１の材料に水を封入したプラスチックダンボールの吸収体を用いた薄型スピーカ
対象２：スピーカエンクロージャ１１の材料に液体３を封入したプラスチックダンボールの吸収体１ａを用いた薄型スピーカ（図３参照）
対象３：スピーカエンクロージャ１１の材料に木材を用い、同一容積にしたスピーカ
図９及び図１０を参照して、評価内容と方法および比較結果を説明する。
【０１２０】
図９（Ａ）（Ｂ）はスピーカＰの振動板に対峙する被験者Ｓを背後から見た図（スピーカＰについて正面図）であり、図９（Ｃ）（Ｄ）はスピーカＰの振動板に対峙する被験者Ｓを真上から見た図（スピーカＰについて上面図）である。また、図９（Ａ）（Ｃ）が対象２、図９（Ｂ）（Ｄ）が対象３の場合である。尚、ここでは対象２および対象３のみで結果を比較する。
【０１２１】
図１０は対象１〜対象３における音質の比較結果を示すレーダーグラフである。
【０１２２】
５名の被験者ｓについて、左右スピーカｐの中央で、スピーカｐから距離約２ｍの位置にて試聴させ、以下の２点について評価した。
【０１２３】
第１は、音像の定位位置および音像の大小についての評価であり、楽曲中のボーカルＶと楽器としてドラムＤ、ピアノＰ、ベースＢの音像位置および音像の大きさ・広がり（音像のぼけ具合）とを○印の位置と大きさで表し、評価用紙に記入させた。
【０１２４】
第２は、音質の評価であり、解像力・奥行き・広がり・高さ・帯域・軽さ・音歪感・静寂感・音質を５段階にて評価させた。レーダーグラフの□印が対象１、○印が対象２、▲印が対象３の評価結果である。点の付け方としては、各評価者が最高の音質として経験して基準としている状態の評価を５とし、これを基準にどの程度のレベルであるかを評価させた。尚、５名の評価結果の平均値を求めた。
【０１２５】
評価結果は以下の通りであり、まず、第１の音像定位の比較について説明する。
【０１２６】
図９（Ｂ）（Ｄ）に示す対象３（木材を適用）の結果では、音像の印象が大きくぼけたイメージであるが、図９（Ａ）（Ｃ）に示す対象２（液体３入り吸収体１を適用）では音像のイメージが小さく明確になっている。この傾向は５人の被験者に共通であった。
【０１２７】
また、音像の位置については、対象３（図９（Ｂ）（Ｄ））、対象２（図９（Ａ）（Ｃ））の順で音像位置の高さが高くなり奥行きがわずかであるが遠めに変化している。この傾向も５名に共通の傾向であった。
【０１２８】
これらの結果より、対象３（木材を適用）、対象２（液体３入り吸収体１を適用）の順で音像が明確になり、音像の位置もより明確に認識できるようになることが示された。これらにより、吸収体１の効果として、液体３を封入することで通常用いられる木材よりも音像表現の改善に高い効果をもたらすことが示される。
【０１２９】
第２に音質の比較について、説明する。
【０１３０】
比較結果を表1及び図１０に示す。図１０は表１の評価結果をレーダーグラフで表したものである。
【０１３１】
結果から示されるように、プラスチックダンボール２ａを用いその中に液体３を充填した吸収体１を適用した対象２（○印）では、全ての評価項目において、プラスチックダンボール２ａに水を封入した吸収体を適用した対象１（□印）や、木材を適用した対象３（▲印）と比較して大きく改善が見られる。また、対象１（水入り吸収体を適用）と対象３（木材を適用）との差の傾向をみると、「解像力」、「空間的広がり感」の表現においては対象１（水入り吸収体を適用）が優れているのに対し、「音の歪感」、「静寂感」など音質的な面においては対象３（木材を適用）が優れていることが示されている。
【０１３２】
すなわち、プラスチックダンボール２ａを用いても効果は見られないが、液体３を用いることにより全ての評価項目において大きく改善が見られ、液体３を充填したプラスチックダンボールの吸収体１ａの効果は大きく、スピーカシステムにおける効果も大きいことが示される。
【０１３３】
尚、比較の基準が高精度なスピーカシステム１１であるために、評価値は中央値となる「３」より低めであるが、液体３を封入したプラスチックダンボールの吸収体１ａを用いることによるポイントの改善幅は１〜１．８程度もあり、改善効果はかなり大きいといえる。特に、音像定位の空間的広がりに関わる項目や音の歪の低減を実現できている。
【０１３４】
【表１】
0005644003.tif 000009
次に、図１１及び図１４を参照して、吸収体１をパーソナルコンピュータに適用した場合の評価結果を説明する。
【０１３５】
最近、ノート型ＰＣ３０が音楽鑑賞用の音源として用いられる場合が増加しており、こうした利用形態における音質改善が求められている。そこで、図５の如く、ノート型ＰＣ３０のキーボード上にプラスチックダンボールの吸収体１ａを載置した場合と、何も載置しない場合（吸収体１不適用）において、以下の３点について比較した。
【０１３６】
第１は、ノート型ＰＣ３０に取り付けられているスピーカから聞こえる音について評価した。
【０１３７】
図１１及び図１２を参照して、異なる曲調の楽曲における音像の定位位置および音像の大小についての比較結果を説明する。図１１（Ａ）（Ｂ）及び図１２（Ａ）（Ｂ）はノート型ＰＣ３０のスピーカｐに対峙する被験者ｓから見た正面図であり、図１１（Ｃ）（Ｄ）及び図１２（Ｃ）（Ｄ）はスピーカｐに対峙する被験者ｓを上方から見た平面図である。
【０１３８】
また、図１１（Ａ）（Ｃ）及び図１２（Ａ）（Ｃ）が何も載置しない場合、図１１（Ｂ）（Ｄ）及び図１２（Ｂ）（Ｄ）がプラスチックダンボールの吸収体１ａを載置した場合である。尚、図の斜線部分はノート型ＰＣ３０のキーボード３０ａ部分であり、その上方の四角枠はノート型ＰＣ３０のディスプレイ３０ｂであり、キーボード３０a上に載置されたプラスチックダンボールの吸収体１ａの図示は省略する。
【０１３９】
５名の被験者ｓについて、左右スピーカｐの中央で、スピーカｐから距離約０．５ｍの位置にて試聴させて評価した。
【０１４０】
具体的には、図１１がビートルズの楽曲を試聴した場合であり、図１２がオペラの楽曲を試聴した場合である。図１１では楽曲中のボーカルＶと、楽器としてドラムＤ、波の音Ｗ、ギターＧ、図１２では楽曲中のテナーＴ、ソプラノＳ、楽器としてヴァイオリンＶｎ、チェロＣ、木管楽器Ｍ、金管楽器Ｋ、ティンパニーＴｉの音像位置および音像の大きさ・広がり（音像のぼけ具合）とを○印の位置と大きさで表し、評価用紙に記入させた。
【０１４１】
図１１（Ａ）（Ｃ）、図１２（Ａ）（Ｃ）の如く、吸収体１を不適用の場合には、スピーカｐそのものから音が聞こえ、スピーカ間の音像定位はほとんど感じられず、また音に深みもない。一方、図１１（Ｂ）（Ｄ）、図１２（Ｂ）（Ｄ）の如く、プラスチックダンボールの吸収体１ａをノート型ＰＣ３０のキーボード３０ａ上に載置した場合には、スピーカｐから離れた位置から音が聞こえるようになり、空間的な広がり感が感じられるようになると同時に、音に深みが出てきて、細かな音まで聞こえるようになり、音の解像度の向上を実現できる。
【０１４２】
第２は、ノート型ＰＣ３０にヘッドホンを接続して聞く場合について評価した。
【０１４３】
図１３を参照して、ヘッドホンで聞いた場合の音像の定位位置の違いの比較結果を説明する。図１３（Ａ）（Ｂ）はノート型ＰＣ３０のスピーカｐ（図示せず）に対峙する被験者ｓの正面図であり、図１３（Ｃ）（Ｄ）はその左側面図であり、図１３（Ｅ）（Ｆ）はその右側面図である。また、図１３（Ａ）（Ｃ）（Ｅ）がノート型ＰＣ３０のキーボード３０ａ上に何も載置しない場合、図１３（Ｂ）（Ｄ）（Ｆ）がプラスチックダンボールの吸収体１ａを載置した場合である。
【０１４４】
具体的には、ビートルズの楽曲を試聴し、楽曲中のボーカルＶと楽器としてドラムＤ、波の音Ｗ、ギターＧの音像の大きさ・広がりを前述と同様に記入させた。
【０１４５】
図１３の如く、吸収体１を不適用の場合と比較して、プラスチックダンボールの吸収体１ａを載置した場合には、雑音（高周波数域のかすかな白色雑音）が低減し、音の解像度の向上を実現できる。従って、前述の第１の評価で述べたスピーカの評価の場合と同様の改善が見られた。
【０１４６】
第３は、ノート型ＰＣ３０内でのデータ転送速度について評価した。評価内容としては、ベンチマークテスト用のソフトを用い、メインメモリとハードディスク間の（１）書き込み、（２）読み出しの速度の変化について実験した。ノート型ＰＣ３０の動作としては、（ａ）シーケンシャル・リード・ライト、（ｂ）ランダム・リード・ライト、（ｃ）ブロック・リード・ライトの３種類を、<１>吸収体１を不適用、<２>ノート型ＰＣ３０の下に円錐型構造の多段スパイク（図２０参照）を適用し、かつノート型ＰＣ３０のキーボード上にプラスチックダンボールの吸収体１ａを適用、<３>ノート型ＰＣ３０の下にプラスチックダンボールの吸収体１ａを適用、<４>ノート型ＰＣ３０の下及びノート型ＰＣ３０のキーボード上に液体３入りパックを適用、<５>ノート型ＰＣ３０のキーボード上にプラスチックダンボールの吸収体１ａを適用、<６>ノート型ＰＣ３０の下に円錐型構造の１段スパイクを適用し、かつノート型ＰＣ３０のキーボード上にプラスチックダンボールの吸収体１ａを適用、の６通りに対して行い、その評価結果を比較した。評価方法としては、９回テストを行いその最大値を評価結果としている。
【０１４７】
評価結果を表２に示す。尚、上段を平均値（Ａｖ．）とし、下段を標準偏差（Ｓ．Ｄ．）とする。また、<１>の「吸収体１を不適用」を「ノーマル」、<２>の「ノート型ＰＣ３０の下に円錐型構造の多段スパイク（図２０参照）を適用し、かつノート型ＰＣ３０のキーボード上にプラスチックダンボールの吸収体１ａを適用」を「Ｅ＋Ｂｏａｒｄ」、<３>の「ノート型ＰＣ３０の下にプラスチックダンボールの吸収体１ａを適用」を「Ｂｏａｒｄ（Ｂｏｔ）」、<４>の「ノート型ＰＣ３０の下及びノート型ＰＣ３０のキーボード上にプラスチックダンボールの吸収体１を適用」を「Ｂｏａｒｄ＋Ｐａｃｋ」、<５>の「ノート型ＰＣ３０のキーボード上にプラスチックダンボールの吸収体１ａを適用」を「Ｕｐ  Ｂｏａｒｄ」、<６>の「ノート型ＰＣ３０の下に円錐型構造の１段スパイクを適用し、かつノート型ＰＣ３０のキーボード上にプラスチックダンボールの吸収体１ａを適用」を「Ｎｙｒｏｎ＋Ｂｏａｒｄ」と示す。
【０１４８】
結果から示されるように、（ａ）シーケンシャル・リード・ライトの平均値においては、吸収体１不適用の<１>に比べ、プラスチックダンボールの吸収体１ａを適用した<２>〜<６>の評価結果では、２〜４％程度の転送速度を向上させることができる。
【０１４９】
すなわち、電源ノイズ・ハードディスクの振動に起因したノイズの低減により、ハードディスクのリードライトでの微少信号の変動が低減され、読み取り・書き込みミスが低減し、速度の向上につながったと言える。
【０１５０】
【表２】
0005644003.tif 000010
尚、ノート型ＰＣ３０に代えてデスクトップ型ＰＣを用いて上述のベンチマークテストを行った結果を図１４に示す。デスクトップ型ＰＣの場合には、プラスチックダンボールの吸収体１ａをデスクトップ型ＰＣの電源やハードディスクユニットに貼り付けて評価した。図１４の如く、吸収体１不適用の場合（図中、ノーマルが該当）と比較して、ハードディスク上にプラスチックダンボールの吸収体１ａを載置した場合（図中、ＨＤが該当）には、２％程度の転送速度を向上させることができる。
【０１５１】
次に、図１５〜図１９を参照して、小型電子機器４０における吸収体１の適用の有無による信号出力パワースペクトルの比較結果を説明する。図６の如く、携帯電話機４０ａや小型ディジタル音響機器４０ｂの筐体にプラスチックダンボールの吸収体１ａを貼付した場合における音質音像表現の改善を評価した。具体的には、各図に示す周波数［Ｈｚ］の正弦波で、予めコンピュータから小型ディジタル音響機器４０ｂに転送し、再生する際に、プラスチックダンボールの吸収体１ａの有無による変化を与えた結果を示した。
【０１５２】
図１５〜図１９では、小型ディジタル音響機器４０ｂ自体（吸収体１不適用）の周波数特性を実線、小型ディジタル音響機器４０ｂにプラスチックダンボールの吸収体１ａを適用した場合の周波数特性の測定結果を細実線で示した。横軸は周波数［Ｈｚ］であり、縦軸は信号電圧のパワースペクトル［ｄＢ］である。
【０１５３】
図１５は１ｋＨｚの場合における正弦波信号再生時のヘッドホン出力の周波数分析結果を示す特性図であり、図１６は２ｋＨｚの場合の分析結果の特性図であり、図１７は４ｋＨｚの場合の分析結果の特性図であり、図１８は５ｋＨｚの場合の分析結果の特性図であり、図１９は８ｋＨｚの場合の分析結果の特性図である。
【０１５４】
小型ディジタル音響機器４０ｂは駆動部分がないため雑音混入が少なく高音質であるが、ディジタル信号の変化がヘッドホンなどを駆動するアナログ回路に影響し、音楽鑑賞時に高周波広帯域雑音が残留し、音の解像度を低下させている欠点がある。
【０１５５】
しかしながら図６の如く、小型でかつ薄型のプラスチックダンボールの吸収体１ａを小型電子機器４０に貼付して用いることにより、高周波広帯域雑音の抑制や明瞭度の向上等の成果を得ることができる。これにより、「雑音の低減」や「音楽の音の明確化の向上」の評価を得ている。
【０１５６】
ここで、図１５〜図１９を参照して吸収体の特性を説明する。図に示す結果は、小型ディジタル音響機器４０に予め１ｋＨｚ、２ｋＨｚ、４ｋＨｚ、５ｋＨｚ、８ｋＨｚの正弦波信号を試験信号として音楽ファイルの形で入力しておき、それを再生したときのヘッドホン出力端子の電圧信号を周波数分析した結果である。吸収体なし（実線）に対し吸収体あり（細実線）の場合、どの周波数の入力信号に対しても、６ｋＨｚから９．５ｋＨｚにかけての雑音成分が約５ｄＢ程度低減されており、この広帯域雑音の低減効果が、後述の雑音の低減と音の明確さにつながっていると考えられる。
【０１５７】
また、使用者の反応としては、（１）雑音が減って音が明確になった、（２）二重唱など音が重なったところでの音の分離が良くなった、（３）長時間聞いていても耳が痛くなくなった（疲れにくくなった）などが挙げられており、小型電子機器４０での音質改善効果が十分にあることが判明した。
【符号の説明】
【０１５８】
１          吸収体
１ａ        プラスチックダンボールの吸収体
１ｂ        アクリル容器の吸収体
２          固定形状の容器
２ａ        プラスチックダンボール
２ｂ        アクリル容器
３          液体
４          封止材
１１        スピーカエンクロージャ
１２        スピーカ
１３        スピーカ取り付け板
１３ａ      スピーカの取り付け穴
２０        表板
２１        裏板
２２        波型スペーサー
２３        内部空間
２４、２４ａ、２４ｂ        開口部
２５        上面アクリルボード
２６        底面アクリルボード
２７ａ、２７ｂ、２７ｃ、２７ｄ        側面アクリルボード
２８        接合部
３０        電子機器
３０ａ      キーボード
３０ｂ      ディスプレイ
４０        小型電子機器
４０ａ      携帯電話機
４０ｂ      小型オーディオ音響機器
【図１】
0005644003.tif 000011
【図２】
0005644003.tif 000012
【図３】
0005644003.tif 000013
【図４】
0005644003.tif 000014
【図５】
0005644003.tif 000015
【図６】
0005644003.tif 000016
【図７】
0005644003.tif 000017
【図８】
0005644003.tif 000018
【図９】
0005644003.tif 000019
【図１０】
0005644003.tif 000020
【図１１】
0005644003.tif 000021
【図１２】
0005644003.tif 000022
【図１３】
0005644003.tif 000023
【図１４】
0005644003.tif 000024
【図１５】
0005644003.tif 000025
【図１６】
0005644003.tif 000026
【図１７】
0005644003.tif 000027
【図１８】
0005644003.tif 000028
【図１９】
0005644003.tif 000029
【図２０】
0005644003.tif 000030